(57)【特許請求の範囲】
【請求項１】
複数のページの資料を含み、各ページの資料には少なくとも一つのコンピューター画面を有する第１のデータファイルを第２のデータファイルに変換することができ、
（ａ）所定のソフトウェアを再生する指令（present command）を実行して、前記第１のデータファイルを再生するステップと、
（ｂ）前記所定のソフトウェアによってNページ目（Nは１以上の整数）の資料のコンピューター画面を再生するステップと、
（ｃ）一定時間内に複数のコンピューター画面Fi、Fi+1、…（iは１以上の整数）を取って、取られた一番目のコンピューター画面Fiに一時停止マーク（Pause mark）を付けて前記第２のデータファイルにセーブするステップと、
（ｄ）前記複数のコンピューター画面Fi、Fi+1、…を比べて、比べられたコンピューター画面間に相違セクションDi、…が存在しているかどうかを判断し、前記相違セクションDi、…が存在している場合には、前記相違セクションDi、…と標識位置Pi、…と取り時間Ti、…とを前記第２のデータファイルにセーブし、前記複数のコンピューター画面Fi、Fi+1、…を比べた後、ステップ（ｅ）を実行するステップと、
（ｅ）前記所定のソフトウエアにおいてコンピューター画面の切替指令（enter command）を実行して、前記複数のコンピューター画面Fi、Fi+1、…の次のコンピューター画面Fm（mは、iの現在値に、前記複数のコンピューター画面Fi、Fi+1、…の個数を加えた整数）に切替えるステップと、
（ｆ）前記コンピューター画面Fmのページ番号が前記複数のコンピューター画面Fi、Fi+1、…のページ番号であるNから変わられたかどうかを判断し、ページ番号が変わられていない場合には、mの現在値にiの現在値を加えた値を新たなiの値として前記ステップ（ｃ）を実行し、ページ番号が変わられた場合には、ステップ（ｇ）を実行するステップと、
（ｇ）前記コンピューター画面Fmのページ番号は最後のページであるかどうかを判断し、最後のページではない場合には、Nの現在値に1を加えた値を新たなNの値として前記ステップ（ｂ）を実行し、最後のページである場合には、前記コンピューター画面Fmを前記第２のデータファイルにセーブしてプロセスを停止するステップと、を含むことを特徴とする
データファイル変換方法。
【請求項２】
前記所定のソフトウェアは、Microsoft（登録商標） Powerpoint（登録商標）であり、且つ自動プログラム制御サービス（supported automation method）方式によって、前記第１のデータファイルを自動的に再生することを特徴とする、請求項１に記載のデータファイル変換方法。
【請求項３】
前記ステップ（ｂ）において再生されるコンピューター画面は、ビットマップフォーマット（bitmap format）でメモリーにセーブされることを特徴とする、請求項１に記載のデータファイル変換方法。
【請求項４】
前記ステップ（ｂ）は、更に、再生される、Nページ目の資料のページ番号と、一番目のコンピューター画面と、をサムネイル（thumbnail）フォーマットで前記第２のデータファイルにセーブすることを特徴とする、請求項１に記載のデータファイル変換方法。
【請求項５】
前記ステップ（ａ）において、前記第１のデータファイルを再生する場合には、まず、前記第１のデータファイルのファイルネームを読み取って、前記ファイルネームをビットマップフォーマットで前記第２のデータファイルにセーブすることを特徴とする、請求項１に記載のデータファイル変換方法。
【請求項６】
前記第２のデータファイルの複数のコンピューター画面を読み取るためのものであり、前記複数のコンピューター画面のうちの一部には一時停止マークが付いている資料読取モジュールと、
前記相違セクションDi及び前記標識位置Piによって、一時停止マークが付いていないコンピューター画面を復元するための資料組合せモジュールと、
前記コンピューター画面を順次に再生し、再生されるコンピューター画面に一時停止マークが付いている場合には、切替指令を受けるまで再生を一時停止する資料再生モジュールと、を含み、請求項１に記載のデータファイル交換方法において前記ステップ（ａ）〜（ｇ）を経て生成された前記第２のデータファイルを再生することを特徴とする
データファイル再生システム。
【請求項７】
更に、前記資料再生モジュールを有し且つ前記コンピューター画面を投影する投影装置を含むことを特徴とする、請求項６に記載のデータファイル再生システム。
【請求項８】
前記第２のデータファイルは、前記システムと通信可能に結合することができる脱着可能式装置にセーブされていることを特徴とする、請求項６に記載のデータファイル再生システム。
【請求項９】
前記システムは、更に、再生インデックスを含み、前記再生インデックスにより、各ページの資料の一番目のコンピューター画面が前記投影装置を介して表示されて、ユーザはこれらのコンピューター画面によって再生しようとする資料を選択することができることを特徴とする、請求項７に記載のデータファイル再生システム。
【請求項１０】
前記システムは、更に、前記第２のデータファイルの再生を制御するリモートコントローラを含むことを特徴とする、請求項６に記載のデータファイル再生システム。
【請求項１１】
請求項１に記載の第２のデータファイルを再生可能であり、
資料読取モジュールと資料組合せモジュールとを有し、前記資料読取モジュールは、前記第２のデータファイルの複数のコンピューター画面を読み取るためのものであり、これらのコンピューター画面のうちの一部に一時停止マークが付いており、前記資料組合せモジュールは、前記相違セクションDi及び前記標識位置Piによって、一時停止マークが付いていないコンピューター画面を復元する携帯電話と、
資料再生モジュールを有し、前記携帯電話に資料を無線に伝送可能であり、前記資料再生モジュールにより前記コンピューター画面が順次に再生され、再生されるコンピューター画面に一時停止マークが付いている場合には、切替指令を受けるまで再生を一時停止する投影装置と、を含むことを特徴とする
データファイル再生システム。
【請求項１２】
前記第２のデータファイルは携帯電話にセーブされていることを特徴とする、請求項１１に記載のデータファイル再生システム。
【請求項１３】
更に、再生インデックスを含み、前記再生インデックスにより、各ページの資料の一番目のコンピューター画面が前記投影装置を介して表示されて、ユーザはこれらのコンピューター画面によって再生しようとする資料を選択することができることを特徴とする、請求項１１に記載のデータファイル再生システム。
【請求項１４】
前記携帯電話は、切替指令を出力して前記第２のデータファイルの再生を制御するためのボタンを有することを特徴とする、請求項１１に記載のデータファイル再生システム。
【発明の詳細な説明】
【技術分野】
【０００１】
本発明は、データファイル変換方法及びデータファイル再生システムに関する。
【背景技術】
【０００２】
コンピューターを利用する従来の会議のシステムは、図１に示すように、コンピューター１０と、投影装置１２と、スクリーン１４と、を含む。コンピューター１０の内部には、ソフトウエア１０２（例えばPowerpoint（登録商標）など）と、ソフトウエア１０２によって再生可能なデータファイル１０４と、がインストールされており、コンピューター１０と投影装置１２は有線方式、又は無線方式で資料を互いに伝送可能であり、これにより、ディスプレイに表示されているコンピューター画面を投影装置１２に伝送して投影装置１２を介してスクリーン１４に投影することができる。
一般に、会議室に設置されているコンピューター１０の主な用途は、データファイル１０４を再生するだけであり、しかし、コンピューター１０の使用頻度が少ないので、会議室にコンピューター１０を設置することは無駄であり、逆に、会議室にコンピューター１０を設置しないと、毎回の会議にコンピューター１０を会議室に持ち込むことが必要であるので、極めて面倒であった。
【０００３】
上記課題を解決するために、従来のＵＳＢポートを有する投影装置は、図２に示すように、投影機本体２０と、ＵＳＢポート２２と、図面再生モジュール２４と、を含み、ＵＳＢポート２２に脱着可能式装置２６を通信的に結合可能であり、なお、図面再生モジュール２４により、脱着可能式装置２６にセーブされた図面ファイル２８（例えばJPGフォーマット）を読取って再生することができ、しかし、図面再生モジュール２４によれば、図面ファイル２８だけを再生することができるので、脱着可能式装置２６には、データファイル（例えばPowerpoint（登録商標）フォーマットなど）がセーブされていなく、図面ファイル２８だけがセーブされている。
ソフトウエアがPowerpoint（登録商標）を使用する場合には、作成されるデータファイルは、一般に、複数ページの資料を含み、各ページの資料は、一枚の図面であってもいいし、アニメーションであってもいいし、図面とアニメーションの組合せであってもよく、また、次のページの資料に切替える過程中に渡り効果（transition effects）を使用する場合もあり、アニメーションを実行し、又は次のページの資料を再生しようとする場合には、ユーザによって切替指令（enter command）を入力することが必要であり、これらの特殊効果及び機能は全てPowerpoint（登録商標）によって実行される。
【０００４】
従来の投影装置１２は図面ファイルだけを再生することができるので、Powerpoint（登録商標）フォーマットのデータファイルを複数の図面ファイルに変換して一つのファイルフォルダーにセーブすることが必要であり、例えばデータファイルに１２ページの資料を含む場合には、このデータファイルを１２個の図面ファイルに変換することが必要であり、このとき、各ページの資料にあるアニメーション効果と、各ページの資料を切替えているときの渡り効果と、が存在しなくなり、このように、Powerpoint（登録商標）のソフトウエアを使わずにデータファイルを再生することができるが、本来の特殊効果及び機能が無くなる。
一方、ユーザが複数の図面ファイルを一つの脱着可能式装置のファイルフォルダーにセーブする場合には、前記ファイルフォルダーのネームは、文字で表示され、図面で表示されなく、且つ国家や地域によって使用される文字も相違であるので、別の国家や地域で投影装置が再生しようとするファイルフォルダーのネームをサポートするキャラクタコードを有しなく、そして脱着可能式装置にセーブされたファイルフォルダーが多すぎると、ユーザは脱着可能式装置にあるファイルフォルダーのネームを識別することができない。
【発明の開示】
【発明が解決しようとする課題】
【０００５】
本発明の主な目的は、データファイル変換方法を提供することにある。
本発明の次の目的は、データファイル再生システムを提供することにある。
【課題を解決するための手段】
【０００６】
本発明の請求項１に記載のデータファイル変換方法によると、複数のページの資料を含み、各ページの資料には少なくとも一つのコンピューター画面を有する第１のデータファイルを第２のデータファイルに変換することができ、
（ａ）所定のソフトウェアを再生する指令（present command）を実行して、前記第１のデータファイルを再生するステップと、
（ｂ）前記所定のソフトウェアによってNページ目（Nは１以上の整数）の資料のコンピューター画面を再生するステップと、
（ｃ）一定時間内に複数のコンピューター画面Fi、Fi+1、…（iは１以上の整数）を取って、取られた一番目のコンピューター画面Fiに一時停止マーク（Pause mark）を付けて前記第２のデータファイルにセーブするステップと、
（ｄ）前記複数のコンピューター画面Fi、Fi+1、…を比べて、比べられたコンピューター画面間に相違セクションDi、…が存在しているかどうかを判断し、前記相違セクションDi、…が存在している場合には、前記相違セクションDi、…と標識位置Pi、…と取り時間Ti、…とを前記第２のデータファイルにセーブし、前記複数のコンピューター画面Fi、Fi+1、…を比べた後、ステップ（ｅ）を実行するステップと、
（ｅ）前記所定のソフトウエアにおいてコンピューター画面の切替指令（enter command）を実行して、前記複数のコンピューター画面Fi、Fi+1、…の次のコンピューター画面Fm（mは、iの現在値に、前記複数のコンピューター画面Fi、Fi+1、…の個数を加えた整数）に切替えるステップと、
（ｆ）前記コンピューター画面Fmのページ番号が前記複数のコンピューター画面Fi、Fi+1、…のページ番号であるNから変わられたかどうかを判断し、ページ番号が変わられていない場合には、mの現在値にiの現在値を加えた値をiの新たな値として前記ステップ（ｃ）を実行し、ページ番号が変わられた場合には、ステップ（ｇ）を実行するステップと、
（ｇ）前記コンピューター画面Fmのページ番号は最後のページであるかどうかを判断し、最後のページではない場合には、Nの現在値に1を加えた値をNの新たな値として前記ステップ（ｂ）を実行し、最後のページである場合には、前記コンピューター画面Fmを前記第２のデータファイルにセーブしてプロセスを停止するステップと、を含むことを特徴とするデータファイル変換方法である。
【０００７】
本発明の請求項２に記載のデータファイル変換方法によると、前記所定のソフトウェアは、Microsoft（登録商標） Powerpoint（登録商標）であり、且つ自動プログラム制御サービス（supported automation method）方式によって、前記第１のデータファイルを自動的に再生する。
本発明の請求項３に記載のデータファイル変換方法によると、前記ステップ（ｂ）において再生されるコンピューター画面は、ビットマップフォーマット（bitmap format）でメモリーにセーブされる。
【０００８】
本発明の請求項４に記載のデータファイル変換方法によると、前記ステップ（ｂ）は、更に、再生される、Nページ目の資料のページ番号と、一番目のコンピューター画面と、をサムネイル（thumbnail）フォーマットで前記第２のデータファイルにセーブする。
本発明の請求項５に記載のデータファイル変換方法によると、前記ステップ（ａ）において、前記第１のデータファイルを再生する場合には、まず、前記第１のデータファイルのファイルネームを読み取って、前記ファイルネームをビットマップフォーマットで前記第２のデータファイルにセーブする。
【０００９】
本発明の請求項６に記載のデータファイル再生システムによると、前記第２のデータファイルの複数のコンピューター画面を読み取るためのものであり、前記複数のコンピューター画面のうちの一部には一時停止マークが付いている資料読取モジュールと、
前記相違セクションDi及び前記標識位置Piによって、一時停止マークが付いていないコンピューター画面を復元するための資料組合せモジュールと、
前記コンピューター画面を順次に再生し、再生されるコンピューター画面に一時停止マークが付いている場合には、切替指令を受けるまで再生を一時停止する資料再生モジュールと、を含み、請求項１に記載のデータファイル交換方法において前記ステップ（ａ）〜（ｇ）を経て生成された前記第２のデータファイルを再生することを特徴とするデータファイル再生システムである。
本発明の請求項７に記載のデータファイル再生システムによると、更に、前記資料再生モジュールを有し且つ前記コンピューター画面を投影する投影装置を含む。
【００１０】
本発明の請求項８に記載のデータファイル再生システムによると、前記第２のデータファイルは、前記システムと通信可能に結合することができる脱着可能式装置にセーブされている。
本発明の請求項９に記載のデータファイル再生システムによると、前記システムは、更に、再生インデックスを含み、前記再生インデックスにより、各ページの資料の一番目のコンピューター画面が前記投影装置を介して表示されて、ユーザはこれらのコンピューター画面によって再生しようとする資料を選択することができる。
【００１１】
本発明の請求項１０に記載のデータファイル再生システムによると、前記システムは、更に、前記第２のデータファイルの再生を制御するリモートコントローラを含む。
本発明の請求項１１に記載のデータファイル再生システムによると、請求項１に記載の第２のデータファイルを再生可能であり、
資料読取モジュールと資料組合せモジュールとを有し、前記資料読取モジュールは、前記第２のデータファイルの複数のコンピューター画面を読み取るためのものであり、これらのコンピューター画面のうちの一部に一時停止マークが付いており、前記資料組合せモジュールは、前記相違セクションDi及び前記標識位置Piによって、一時停止マークが付いていないコンピューター画面を復元する携帯電話と、
資料再生モジュールを有し、前記携帯電話に資料を無線に伝送可能であり、前記資料再生モジュールにより前記コンピューター画面が順次に再生され、再生されるコンピューター画面に一時停止マークが付いている場合には、切替指令を受けるまで再生を一時停止する投影装置と、を含むことを特徴とするデータファイル再生システムである。
【００１２】
本発明の請求項１２に記載のデータファイル再生システムによると、前記第２のデータファイルは携帯電話にセーブされている。
本発明の請求項１３に記載のデータファイル再生システムによると、更に、再生インデックスを含み、前記再生インデックスにより、各ページの資料の一番目のコンピューター画面が前記投影装置を介して表示されて、ユーザはこれらのコンピューター画面によって再生しようとする資料を選択することができる。
【００１３】
本発明の請求項１４に記載のデータファイル再生システムによると、前記携帯電話は、切替指令を出力して前記第２のデータファイルの再生を制御するためのボタンを有する。
【発明の効果】
【００１４】
本発明のデータファイル変換方法及びデータファイル再生システムによれば、特定のソフトウエアを使わずに、そのソフトウエアを使用する場合に達成可能な特殊効果及び機能を表現する再生を実施可能であるという効果がある。
【発明を実施するための最良の形態】
【００１５】
以下、本発明の実施の形態を図面に基づいて説明する。
まず、図３を参照する。図３は本発明によってデータファイルを別のデータファイルに変換する方法を示す概略図である。本発明は、まず、コンピューターを使用するソフトウエアによって第１のデータファイルを再生して、再生する過程中に、第１のデータファイルを第２のデータファイルに変換し、なお、コンピューターによって前記第１のデータファイルを再生しているときには、再生ウィンドーがコンピューターのディスプレイの表示と関係なくなり、そうすると、前記コンピューターによって別の作業を実施することができる。
本実施例に係るソフトウエアはPowerpoint（登録商標）であり、第１のデータファイルのフォーマットはPowerpoint（登録商標）フォーマットであり、第１のデータファイルは、複数ページの資料を含み、前記各ページの資料は少なくとも一つのコンピューター画面を有する。
【００１６】
次に、図４を参照する。図４は本発明によって第１のデータファイルを第２のデータファイルに変換する方法を示すフローチャートである。本発明に係るデータファイル変換方法は、ソフトウェアを再生する指令（present command）を実行して、第１のデータファイルを再生して（Ｓ３０１）、前記ソフトウェアによってNページ目（Nは１以上の整数）の資料Snのコンピューター画面を再生して（Ｓ３０２）、一定時間T内に複数のコンピューター画面Fi、Fi+1、…（iは１以上の整数）を取って、取られた一番目のコンピューター画面Fiに一時停止マーク（Pause mark）を付けて第２のデータファイルにセーブして（Ｓ３０３）、コンピューター画面Fiとコンピューター画面Fi+1には相違セクションDiが存在しているかどうかを順次に比べ（Ｓ３０４）、相違セクションDiが存在している場合には、前記相違セクションDiと標識位置Piと取り時間Tiとを第２のデータファイルにセーブし（Ｓ３０９）、なお、相違セクションDiが存在していない場合には、次のステップへ移行して、前記ソフトウエアの切替指令（enter command）を実行して、次のコンピューター画面Fmに切替えて（Ｓ３０５）、前記コンピューター画面Fmのページ番号が変わられたかどうかを判断し（Ｓ３０６）、ページ番号が変わられていない場合には、m+i=iにさせてＳ３０３を実行し、ページ番号が変わられた場合には、次のステップへ移行して、前記コンピューター画面Fmのページ番号は最後のページであるかどうかを判断し（Ｓ３０７）、最後のページではない場合には、N+1=NにさせてＳ３０２を実行し、最後のページである場合には、前記コンピューター画面Fmを第２のデータファイルにセーブして（Ｓ３０８）、プロセスを停止する。
【００１７】
ソフトウェアであるMicrosoft（登録商標） Powerpoint（登録商標）は、自動プログラム制御サービス（supported automation method）機能を有するので、上記機能を起動すると、１ページ目（すなわち、N＝１）の資料S１からコンピューター画面を自動的に再生することができ、且つ再生されるコンピューター画面は、ビットマップフォーマット（bitmap format）でメモリーにセーブされる。
また、Ｓ３０１において、第１のデータファイルを再生する場合には、まず、第１のデータファイルのファイルネームを読み取って、前記ファイルネームをビットマップフォーマットで前記第２のデータファイルにセーブし、なお、Ｓ３０２においては、再生される、N番目の資料Snのページ番号と、一番目のコンピューター画面と、をサムネイル（thumbnail）フォーマットで前記第２のデータファイルにセーブする。
【００１８】
上記の説明から明らかなように、本発明に係るデータファイル変換方法によって発生される第２のデータファイルは下記のものを含む。
（１）ビットマップフォーマット（bitmap format）でセーブされたファイルネーム。
（２）再生インデックスとしサムネイル（thumbnail）フォーマットでセーブされた、各ページの資料の一番目のコンピューター画面とそのページ番号。
（３）一定時間T内に取られた一番目のコンピューター画面Fiと、一番目のコンピューター画面Fiに付かれた一時停止マーク（Pause mark）。
（４）コンピューター画面とその次のコンピューター画面の相違セクションDiと標識位置Piと取り時間Ti。
【００１９】
次に、図５を参照する。図５は本発明の実施例１に係る、第２のデータファイルを再生するデータファイル再生システムを示す概略図である。本発明に係るデータファイル再生システム５０は、資料読取モジュール５１と、資料組合せモジュール５２と、資料再生モジュール５３と、を含み、投影装置６０内に設けられていてもいいし、独立な装置として投影装置６０と通信的に連接していてもよく、本実施例では、データファイル再生システム５０が投影装置６０内に設けられており、投影装置６０はＵＳＢポート６１を有するので、第２のデータファイル７０をＵＳＢフラッシュメモリー６２又は脱着可能式装置にセーブして、ＵＳＢフラッシュメモリー６２又は脱着可能式装置がＵＳＢポート６１を介して投影装置６０と通信的に結合するだけで、第２のデータファイル７０を再生することができる。
【００２０】
資料読取モジュール５１は、第２のデータファイル７０の複数のコンピューター画面を読み取るためのものであり、前記複数のコンピューター画面のうちの一部には一時停止マークが付いており、資料組合せモジュール５２は、前記相違セクションDi及び前記標識位置Piによって、一時停止マークが付いていないコンピューター画面を復元するためのものであり、資料再生モジュール５３は、前記コンピューター画面を順次に再生し、再生されるコンピューター画面に一時停止マークが付いている場合には、切替指令を受けるまで再生を一時停止するものである。
投影装置６０のＵＳＢポート６１にＵＳＢフラッシュメモリー６２を通信的に結合したと、資料読取モジュール５１によりＵＳＢフラッシュメモリー６２にセーブされた全ての資料が読取られて、全てのファイルネームがスクリーン１４に投影され、なお、本発明に係る第２のデータファイルのファイルネームがビットマップフォーマット（bitmap format）でセーブされるので、別の国家や地域で再生をしても、ファイルネームを識別できないことがなくなる。
【００２１】
第２のデータファイルを再生するときには、ユーザは第２のデータファイルのうちの一つの資料を選択して再生することができ、その再生方法は、資料を直接に再生してもいいし、再生インデックスに切替えてサムネイル（thumbnail）から再生しようとする資料を選択して再生してもよい。
資料を直接に再生する場合には、まず、資料読取モジュールにより第２のデータファイルの複数のコンピューター画面が順次に読取られて、各ページの資料の一番目のコンピューター画面、又はアニメーションの一番目のコンピューター画面には一時停止マークが付けられているので、切替指令を受けるまで再生が一時停止され、なお、それ以外の一時停止マークが付けられておらず、且つ相違セクションDiと標識位置Piと取り時間Tiなど資料を含むコンピューター画面を再生するときに、これらのコンピューター画面がダイナミックな画面であるので、資料組合せモジュールによってコンピューター画面を復元することが必要であり、なお、資料再生モジュールにより、取り時間Tiに該当コンピューター画面が再生され、全てのコンピューター画面が再生されたと再生作業を停止する。
【００２２】
なお、ユーザが資料のうちの一ページを再生しようとする場合には、まず、再生インデックスに切替えて、サムネイル（thumbnail）から再生しようとする資料を選択して再生することが必要であり、その再生の過程は上記と同じなので、説明を省略する。
特に、再生の操作を便利にするために、本発明に係るデータファイル再生システムは、更に、図５に示したリモートコントローラ５４を含み、リモートコントローラ５４は、少なくとも、ページアップボタンと、ページダウンボタンと、数字ボタンと、切替ボタンと、などを有し、これにより、コンピューターを使わずに資料を再生することができる。
【００２３】
次に、図６を参照する。図６は本発明の実施例２に係る、第２のデータファイルを再生するデータファイル再生システムを示す概略図である。本発明の実施例２に係るデータファイル再生システムは、携帯電話８０と、投影装置６０と、スクリーン１４と、を含む。
携帯電話８０は、資料読取モジュール５１と資料組合せモジュール５２と第２のデータファイル７０とを有し、コンピューターによって変換された第２のデータファイル７０が有線又は無線方式で携帯電話８０に伝送してセーブされ、資料読取モジュール５１は、第２のデータファイル７０の複数のコンピューター画面を読み取るためのものであり、これらのコンピューター画面のうちの一部に一時停止マークが付いており、資料組合せモジュール５２は、相違セクションDi及び標識位置Piによって、一時停止マークが付いていないコンピューター画面を復元するものである。
【００２４】
投影装置６０は、資料再生モジュール５３を有し、携帯電話８０に資料を無線に伝送可能であり、資料再生モジュール５３によりコンピューター画面が順次に再生されてスクリーン１４に投影され、なお、再生されるコンピューター画面に一時停止マークが付いている場合には、切替指令を受けるまで再生が一時停止され、携帯電話８０には、再生の一時停止を解除するためのボタン８１が設けられている。
実施例２の再生方式はほぼ実施例１と同じ、その異なる箇所は、実施例１に係るデータファイル再生システムは、投影装置と通信的に結合しており、そしてＵＳＢフラッシュメモリーに第２のデータファイルがセーブされており、ユーザは、リモートコントローラによってデータファイル再生システムによる再生を制御する。なお、実施例２に係るデータファイル再生システムは、第２のデータファイルが携帯電話（すなわち、携帯型コンピューター）にセーブされており、前記携帯電話によって、第２のデータファイルが、読取られて組合せられて、投影装置の資料再生モジュールに伝送されて再生され、且つユーザは、携帯電話にあるボタンに通じて再生を直接に制御することができ、リモートコントローラ及びＵＳＢフラッシュメモリーを使用することが必要ない。
【００２５】
特に、実施例２において、資料読取モジュールが携帯電話にビルドインされており、資料再生モジュールが投影装置にビルドインされており、資料読取モジュールは、実施例１と同じように、「第２のデータファイルの複数のコンピューター画面を読み取って、そのコンピューター画面に一時停止マークが付けられたかどうかを判断する」という機能を有するので、コンピューター画面に一時停止マークが付けられたかどうかの判断は、携帯電話の資料再生モジュールによって実行することができ、このように、ユーザが携帯電話にあるボタンを押圧し切替指令（enter command）を出力すると、第２のデータファイルの再生を制御することができ、なお、投影装置にビルドインされた資料再生モジュールは、コンピューター画面に一時停止マークが付けられたかどうかを判断することは必要なく、携帯電話からのコンピューター画面を接収してスクリーンに直接に投影すればいい。
上記では、種々の実施の形態および変形例を説明したが、本発明はこれらの内容に限定されるものではない。本発明の技術的思想の範囲内で考えられるその他の態様も本発明の範囲内に含まれる。
【図面の簡単な説明】
【００２６】
【図１】コンピューターを利用する従来の会議のシステムを示す概略図である。
【図２】従来のＵＳＢポートを有する投影装置を示す概略図である。
【図３】本発明によって第１のデータファイルを第２のデータファイルに変換する方法を示す概略図である。
【図４】本発明によって第１のデータファイルを第２のデータファイルに変換する方法を示すフローチャートである。
【図５】本発明の実施例１に係る、第２のデータファイルを再生するデータファイル再生システムを示す概略図である。
【図６】本発明の実施例２に係る、第２のデータファイルを再生するデータファイル再生システムを示す概略図である。
【符号の説明】
【００２７】
１０：コンピューター
１２：投影装置
１４：スクリーン
２２：ＵＳＢポート
２４：図面再生モジュール
２６：脱着可能式装置
２８：図面ファイル
５０：データファイル再生システム
５１：資料読取モジュール
５２：資料組合せモジュール
５３：資料再生モジュール
５４：リモートコントローラ
６０：投影装置
６１：ＵＳＢポート
６２：ＵＳＢフラッシュメモリー
７０：第２のデータファイル
８０：携帯電話
８１：ボタン
１０２：ソフトウエア
１０４：データファイル
【図１】
0005081733.tif 000002
【図２】
0005081733.tif 000003
【図３】
0005081733.tif 000004
【図４】
0005081733.tif 000005
【図５】
0005081733.tif 000006
【図６】
0005081733.tif 000007